【事件の表示】
　特許第３２４５６４９号「補強糸埋設樹脂管」の請求項１ないし７に係る特許に対する特許異議の申立てについて、次のとおり決定する。
【結　論】
　訂正を認める。
　特許第３２４５６４９号の請求項１ないし６に係る特許を維持する。
【理　由】
Ｉ．手続の経緯
　本件特許第３２４５６４９号は、平成６年１２月２０日に特許出願され、平成１３年１１月２日に特許権の設定登録（発明の数７）がされ、その後、その特許について、タイガースポリマー株式会社から特許異議の申立て（全請求項について）がされ、平成１５年４月１８日付けで取消理由通知（以下、「通知Ａ」という。）がされて、その指定期間内である平成１５年６月３０日付けで特許異議意見書が提出されるとともに、明細書の訂正請求がされ、さらにその後、平成１５年８月１日付けで取消理由通知（以下、「通知Ｂ」という。）がされて、その指定期間内である平成１５年８月２８日付けで、先の平成１５年６月３０日付け訂正請求の取下書が提出されるとともに、明細書の訂正請求がされたものである。
　
II．訂正の適否についての判断
１．訂正の内容
　平成１５年８月２８日付けの訂正請求により特許権者が求めている訂正は、実質的に、以下の訂正事項ａ〜ｍであると認める。
訂正事項ａ：特許請求の範囲の請求項１の
「【請求項１】　管壁(1)が樹脂素材で重層状に形成され、その層間に多数本の補強糸(2)が埋設されている管であって、該多数本の補強糸(2)中に一般の補強糸(21)とは色彩を異にする識別補強糸(22)が一本乃至複数本混入埋設されている補強糸埋設樹脂管。」を、
「【請求項１】　管壁(1)が樹脂素材で重層状に形成され、その層間に多数本の補強糸(2)が埋設されている管であって、該多数本の補強糸(2)中に一般の補強糸(21)とは色彩を異にする２種以上の識別補強糸(22)が複数本配糸間隔を適宜設定し混入埋設されることにより、管体の製造機や製造年月日等を確認し得る補強糸埋設樹脂管。」と訂正する。
　
訂正事項ｂ：特許請求の範囲の請求項２の
「【請求項２】　管壁(1)が樹脂素材で重層状に形成され、その層間に多数本の補強糸(2)が埋設されている管であって、該層間の一部に多数本の補強糸(2)とは色彩を異にする識別線状体(23)が一本乃至複数本混入埋設されている補強糸埋設樹脂管。」を、
「【請求項２】　管壁(1)が樹脂素材で重層状に形成され、その層間に多数本の補強糸(2)が埋設されている管であって、該層間の一部に多数本の補強糸(2)とは色彩を異にする２種以上の識別線状体(23)が複数本配糸間隔を適宜設定し混入埋設されることにより、管体の製造機や製造年月日等を確認し得る補強糸埋設樹脂管。」と訂正する。
　
訂正事項ｃ：特許請求の範囲の請求項３を削除するとともに、請求項４〜７を新たな請求項３〜６とし、新たな請求項３〜６において引用する請求項の番号を訂正する。
　
訂正事項ｄ：明細書の段落０００８の
「【課題を解決するための手段】
　この目的を達成し、上記の課題を解決するために講じた本発明にいう樹脂管の第１の構成は、管壁１中に埋設した多数本の補強糸２…の中に、一般の補強糸２１とは色彩を異にする識別補強糸２２を一本乃至複数本混入させて配糸埋設してあるものとすること。第２の構成は、該管壁１の層間の一部に多数本の補強糸(2)とは色彩を異にする一本乃至複数本の識別線状体２３を混入させて埋設してあるものとすることにある。」を、
「【課題を解決するための手段】
　この目的を達成し、上記の課題を解決するために講じた本発明にいう樹脂管の第１の構成は、管壁１中に埋設した多数本の補強糸２中に一般の補強糸２１とは色彩を異にする２種以上の識別補強糸２２が複数本配糸間隔を適宜設定し混入埋設されることにより、管体の製造機や製造年月日等を確認し得るものとすること。第２の構成は、該管壁１の層間の一部に多数本の補強糸２とは色彩を異にする２種以上の識別線状体２３が複数本配糸間隔を適宜設定し混入埋設されることにより、管体の製造機や製造年月日等を確認し得るものとすることにある。」と訂正する。
　
訂正事項ｅ：明細書の段落００１０の
「例えば１本のみの色糸を使用し、この色糸の色彩を変更することによって、管体の製造機を表したり、製造年を表したりすることができる。また、１本のみの糸であっても、或る色の糸と或る色の糸とを組み合わせまたは撚り合わせてある糸を用いることによって、製造機と製造年とを表したり、製造年と製造月を表したりして実施することができる。また、選択した糸の色彩だけではなく配糸間隔を適宜に設定し、色彩と配糸間隔とを種々組み合わせることによって、管体の出所・生産時期等多数種の確認を可能にすることができる。」を、
「例えば２本以上の色糸を使用し、この色糸の色彩を変更することによって、製造機と製造年とを表したり、製造年と製造月を表したりして実施することができる。また、選択した糸の色彩だけではなく配糸間隔を適宜に設定し、色彩と配糸間隔とを種々組み合わせることによって、管体の出所・生産時期等多数種の確認を可能にすることができる。」と訂正する。
　
訂正事項ｆ：明細書の段落００１３の
「【作用】
　上記の構成とした本発明の樹脂管は、補強糸２によって管壁１が強化されている。この補強糸２の一部を色彩の異なる補強糸２２としたり、補強糸２とは色彩の異なる線状体２３を埋設してあるので、これらの補強糸２２や線状体２３の色彩や配糸の順序や一般補強糸２との配糸位置関係を変えることによって、管体のどの位置で切断しても切断端面に現れる糸の色彩や配糸関係を見て、その管を製造した製造機や製造年月等を容易に確認することができる。管壁１の外層４を透明樹脂素材で形成してある管の場合には、管体のどの部分からでもこれらのことを確認することができる。」を、
「【作用】
　上記の構成とした本発明の樹脂管は、補強糸２によって管壁１が強化されている。この補強糸２の２種以上の複数本を色彩の異なる補強糸２２としたり、補強糸２とは色彩の異なる線状体２３を埋設してあるので、これらの補強糸２２や線状体２３の色彩や配糸の順序や一般補強糸２との配糸位置関係を変えることによって、管体のどの位置で切断しても切断端面に現れる糸の色彩や配糸関係を見て、その管を製造した製造機や製造年月等を容易に確認することができる。管壁１の外層４を透明樹脂素材で形成してある管の場合には、管体のどの部分からでもこれらのことを確認することができる。」と訂正する。
　
訂正事項ｇ：明細書の段落００１４の
「また、管体の製造時における配糸時に、補強糸２の一部を色彩の異なる補強糸２２にするか、補強糸２とは色彩の異なる線状体２３を同時に配糸するだけでよいので、別異の工程を全く必要とせず極めて容易に、かつ、管体の全長に亙って所要の確認を行うことができる補強糸埋設樹脂管を得ることができる。」を、
「また、管体の製造時における配糸時に、補強糸２の２種以上の複数本を色彩の異なる補強糸２２にするか、補強糸２とは色彩の異なる線状体２３を同時に配糸するだけでよいので、別異の工程を全く必要とせず極めて容易に、かつ、管体の全長に亙って所要の確認を行うことができる補強糸埋設樹脂管を得ることができる。」と訂正する。
　
訂正事項ｈ：明細書の段落００１６の
「該実施例に示した管体Ｐは管壁１を合成樹脂素材によって形成した管であって、図２及び図３に見られるように、管壁１の構造を、軟質ＰＶＣ素材で筒状に形成した内層３と、この内層３の外周面上において、それぞれ所定の間隔を隔てて一定の螺旋方向とこれとは逆の螺旋方向とに（何れかが下糸他方が上糸となって）互いにクロスする状態で多数本の補強糸２…を配糸し、その外周面上に透明な軟質ＰＶＣ素材によって筒状に外層４を形成し、内外層３，４を接着一体化させてある円筒管である。」を、
「該実施例に示した管体Ｐは管壁１を合成樹脂素材によって形成した管であって、図２及び図３に見られるように、管壁１の構造を、軟質ＰＶＣ素材で筒状に形成した内層３と、この内層３の外周面上において、それぞれ所定の間隔を隔てて一定の螺旋方向とこれとは逆の螺旋方向とに（何れかが下糸他方が上糸となって）互いにクロスする状態で多数本の補強糸２を配糸し、その外周面上に透明な軟質ＰＶＣ素材によって筒状に外層４を形成し、内外層３，４を接着一体化させてある円筒管である。」と訂正する。
　
訂正事項ｊ：明細書の段落００１９の
「この管形成時において、図１に破線で示したように、多数本の補強糸２の内の一部の補強糸を、一般の補強糸２１とは色彩の異なるものを使用する。該実施例図のものは、１点鎖線で示した色付き補強糸２２ａを２本，点線で示した色付き補強糸２２ｂを２本，２点鎖線で示した色付き補強糸２２ｃを１本、全体で３色５本の色付き補強糸２２を使用したものとしてある。また、１点鎖線で示した色付き補強糸２２ａは２本の補強糸を挟んで平行に配糸し、点線で示した色付き補強糸２２ｂは１本の１点鎖線補強糸２２ａを挟んで平行に配糸し、２点鎖線で示した色付き補強糸２２ｃはこれらの補強糸２２ａ，２２ｂと交差する逆螺旋方向に配糸してある。」を、
「この管形成時において、図１に破線で示したように、多数本の補強糸２の内の２種以上の複数本の補強糸を、一般の補強糸２１とは色彩の異なるものを使用する。該実施例図のものは、１点鎖線で示した色付き補強糸２２ａを２本，点線で示した色付き補強糸２２ｂを２本，２点鎖線で示した色付き補強糸２２ｃを１本、全体で３色５本の色付き補強糸２２を使用したものとしてある。また、１点鎖線で示した色付き補強糸２２ａは２本の補強糸を挟んで平行に配糸し、点線で示した色付き補強糸２２ｂは１本の１点鎖線補強糸２２ａを挟んで平行に配糸し、２点鎖線で示した色付き補強糸２２ｃはこれらの補強糸２２ａ，２２ｂと交差する逆螺旋方向に配糸してある。」と訂正する。
　
訂正事項ｋ：明細書の段落００３１の
「【発明の効果】
　本発明は以上の説明から既に明らかなように、管壁中に多数本の補強糸を埋設してある管を対象とし、この補強糸の埋設手段を利用して、これら多数本の補強糸の中に色彩を異にする識別補強糸を一本乃至複数本混入させて配設してある構成としたり、これら多数本の補強糸とは色彩を異にする一本乃至複数本の識別線状体を混入させてある構成としたものであるから、この異色の補強糸または線状体を色彩だけではなく配糸間隔を適宜に設定し、この色彩と配糸間隔との各種の組み合わせによって、管体の全長に亙ってどの位置で切断しても切断端面に現れるこれらの補強糸や線状体の色彩や配糸の順序や一般補強糸との配糸位置関係を見て、管体の出所や生産時期等種々の確認が可能な管を得ることができるという極めて顕著な効果を有する。」を、
「【発明の効果】
　本発明は以上の説明から既に明らかなように、管壁中に多数本の補強糸を埋設してある管を対象とし、この補強糸の埋設手段を利用して、これら多数本の補強糸の中に色彩を異にする２種以上の識別補強糸が複数本配糸間隔を適宜設定し混入埋設されることにより、管体の製造機や製造年月日等を確認し得る構成としたり、これら多数本の補強糸とは色彩を異にする２種以上の識別線状体２３が複数本配糸間隔を適宜設定し混入埋設されることにより、管体の製造機や製造年月日等を確認し得る構成としたものであるから、この異色の補強糸または線状体を色彩だけではなく配糸間隔を適宜に設定し、この色彩と配糸間隔との各種の組み合わせによって、管体の全長に亙ってどの位置で切断しても切断端面に現れるこれらの補強糸や線状体の色彩や配糸の順序や一般補強糸との配糸位置関係を見て、管体の出所や生産時期等種々の確認が可能な管を得ることができるという極めて顕著な効果を有する。」と訂正する。
　
訂正事項ｍ：明細書の段落００３２の
「しかも、このような管であるにもかかわらず、その製造に当たっては、管体の製造時における配糸時に、補強糸の一部を色彩の異なる識別補強糸に変えるか、補強糸とは色彩の異なる識別線状体を同時に配糸する操作だけでよいので、別異の工程を全く必要とすることなく、かつコストアップにつながることなく極めて容易にかかる管体を得ることができるという効果を併せて有するものである。」を、
「しかも、このような管であるにもかかわらず、その製造に当たっては、管体の製造時における配糸時に、補強糸の複数本を色彩の異なる２種以上の識別補強糸に変えて配糸間隔を適宜設定し混入埋設させるか、補強糸とは色彩の異なる２種以上の識別線状体を同時に複数本配糸間隔を適宜設定し混入埋設配糸する操作だけでよいので、別異の工程を全く必要とすることなく、かつコストアップにつながることなく極めて容易にかかる管体を得ることができるという効果を併せて有するものである。」と訂正する。
　
２．訂正の目的の適否、新規事項の有無及び特許請求の範囲の拡張・変更の存否
　訂正事項ａは、訂正前の請求項１の記載、訂正前の請求項３の「前記色彩を異にする識別補強糸(22)または識別線状体(23)が２種以上埋設されている請求項１または２に記載の補強糸埋設樹脂管。」との記載、訂正前の段落０００７の「本発明は、…印字手段に代わる別工程を用いることなく、管体のどの箇所においても管の製造機や製造年月等を確認することができる補強糸埋設樹脂管の提供を目的とするものである。」との記載、訂正前の段落００１０の「或る色の糸と或る色の糸とを組み合わせまたは撚り合わせてある糸を用いることによって、製造機と製造年とを表したり、製造年と製造月を表したりして実施することができる。また、選択した糸の色彩だけではなく配糸間隔を適宜に設定し、色彩と配糸間隔とを種々組み合わせることによって、管体の出所・生産時期等多数種の確認を可能にすることができる。」との記載、段落００１３の「補強糸２２や線状体２３の色彩や配糸の順序や一般補強糸２との配糸位置関係を変えることによって、管体のどの位置で切断しても切断端面に現れる糸の色彩や配糸関係を見て、その管を製造した製造機や製造年月等を容易に確認することができる。」との記載、並びに、段落００１９〜００２０の「図１に破線で示したように…１点鎖線で示した色付き補強糸２２ａを２本，点線で示した色付き補強糸２２ｂを２本，２点鎖線で示した色付き補強糸２２ｃを１本、全体で３色５本の色付き補強糸２２を使用したものとしてある。また、１点鎖線で示した色付き補強糸２２ａは２本の補強糸を挟んで平行に配糸し、点線で示した色付き補強糸２２ｂは１本の１点鎖線補強糸２２ａを挟んで平行に配糸し、２点鎖線で示した色付き補強糸２２ｃはこれらの補強糸２２ａ，２２ｂと交差する逆螺旋方向に配糸してある。…配糸時に、補強糸２の内の幾本かを、一般の補強糸２１とは色彩の異なるものとし、選択した糸の色彩と配糸間隔とを適宜に設定し種々組み合わせることによって、管体の出所・生産時期等所要の確認を行うことができるようにするのである。」との記載に基づいて、請求項１に係る発明において、一般の補強糸とは色彩を異にする識別補強糸及び補強糸埋設樹脂管について、「２種以上の識別補強糸（２２）が複数本配糸間隔を適宜設定し混入埋設されることにより、管体の製造機や製造年月日等を確認し得る」と限定を加えようとするものである。
　したがって、訂正事項ａは、特許請求の範囲の減縮を目的とするものであって、また、願書に添付した明細書に記載した事項の範囲内においてするものであり、かつ、実質上特許請求の範囲を拡張し、又は変更するものでもない。
　
　訂正事項ｂは、訂正前の請求項２、請求項３の前記記載、訂正前の段落０００７、００１０、段落００１３の前記記載、並びに、段落００２２〜００２３の「図４及び図５に示した管Ｐは、…該管Ｐにおける配糸は、補強糸２そのものの色彩を変えたものではなく、補強糸２に別の色彩の糸を添えて同時に埋設して識別可能な状態にしたものである。該実施例図の補強糸２は、１点鎖線で示した色付き糸添設補強糸２３ａを２本，点線で示した色付き糸添設補強糸２３ｂを２本，２点鎖線で示した色付き糸添設補強糸２３ｃを２本使用したものとしてある。また、１点鎖線で示した色付き糸添設補強糸２３ａと、点線で示した色付き糸添設補強糸２３ｂとは互いに平行な方向に配糸し、２点鎖線で示した色付き糸添設補強糸２３ｃはこれらの補強糸２３ａ，２３ｂと交差する逆螺旋方向に配糸してある。」との記載に基づいて、請求項２に係る発明において、多数の補強糸とは色彩を異にする識別線状体及び補強糸埋設樹脂管について、「２種以上の識別線状体（２３）が複数本配糸間隔を適宜設定し混入埋設されることにより、管体の製造機や製造年月日等を確認し得る」と限定を加えようとするものである。
　したがって、訂正事項ｂは、特許請求の範囲の減縮を目的とするものであって、また、願書に添付した明細書に記載した事項の範囲内においてするものであり、かつ、実質上特許請求の範囲を拡張し、又は変更するものでもない。
　
　訂正事項ｃは、訂正前の請求項３を削除するとともに、この削除に伴い、請求項番号の整序及び引用請求項の番号の整序を行おうとするものであるから、特許請求の範囲の減縮及び明りょうでない記載の釈明を目的とするものであって、また、願書に添付した明細書に記載した事項の範囲内においてするものであり、かつ、実質上特許請求の範囲を拡張し、又は変更するものでもない。
　
　訂正事項ｄは、前記訂正事項ａ、ｂによる請求項１、２の減縮に伴い、段落０００８の【課題を解決するための手段】の記載を整理しようとするものであるから、明りょうでない記載の釈明を目的とするものであって、また、願書に添付した明細書に記載した事項の範囲内においてするものであり、かつ、実質上特許請求の範囲を拡張し、又は変更するものでもない。
　訂正事項ｅは、前記訂正事項ａ、ｂによる請求項１、２の減縮に伴い、段落００１０について、発明の実施に関する記載を減縮した態様に関するものに限定するよう整理しようとするものであるから、明りょうでない記載の釈明を目的とするものであって、また、願書に添付した明細書に記載した事項の範囲内においてするものであり、かつ、実質上特許請求の範囲を拡張し、又は変更するものでもない。
　
　訂正事項ｆは、前記訂正事項ａ、ｂによる請求項１、２の減縮に伴い、段落００１３について、色彩の異なる補強糸又は線状体を「２種以上の複数本」に限定しようとするものであるから、明りょうでない記載の釈明を目的とするものであって、また、願書に添付した明細書に記載した事項の範囲内においてするものであり、かつ、実質上特許請求の範囲を拡張し、又は変更するものでもない。
　
　訂正事項ｇは、前記訂正事項ａ、ｂによる請求項１、２の減縮に伴い、段落００１４について、色彩の異なる補強糸又は線状体を「２種以上の複数本」に限定しようとするものであるから、明りょうでない記載の釈明を目的とするものであって、また、願書に添付した明細書に記載した事項の範囲内においてするものであり、かつ、実質上特許請求の範囲を拡張し、又は変更するものでもない。
　
　訂正事項ｈは、段落００１６について、訂正前の「補強糸２…」という明りょうでない記載を「補強糸２」と訂正しようととするものであるから、明りょうでない記載の釈明を目的とするものであって、また、願書に添付した明細書に記載した事項の範囲内においてするものであり、かつ、実質上特許請求の範囲を拡張し、又は変更するものでもない。
　
　訂正事項ｊは、前記訂正事項ａ、ｂによる請求項１、２の減縮に伴い、段落００１９について、色彩の異なる補強糸を「２種以上の複数本」に限定しようとするものであるから、明りょうでない記載の釈明を目的とするものであって、また、願書に添付した明細書に記載した事項の範囲内においてするものであり、かつ、実質上特許請求の範囲を拡張し、又は変更するものでもない。
　
　訂正事項ｋは、前記訂正事項ａ、ｂによる請求項１、２の減縮に伴い、段落００３１の【発明の効果】の記載を整理しようとするものであるから、明りょうでない記載の釈明を目的とするものであって、また、願書に添付した明細書に記載した事項の範囲内においてするものであり、かつ、実質上特許請求の範囲を拡張し、又は変更するものでもない。
　
　訂正事項ｍは、前記訂正事項ａ、ｂによる請求項１、２の減縮に伴い、段落００３２について、発明の効果に関する記載を減縮した態様に関するものに限定するよう整理しようとするものであるから、明りょうでない記載の釈明を目的とするものであって、また、願書に添付した明細書に記載した事項の範囲内においてするものであり、かつ、実質上特許請求の範囲を拡張し、又は変更するものでもない。
　
３．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する、平成６年法律第１１６号による改正前の特許法第１２６条第１項ただし書き、第２項及び３項の規定に適合するので、当該訂正を認める。
　
III．特許異議の申立ての概要と取消理由通知の概要
１．特許異議の申立ての概要は以下のとおりである。
　特許異議申立人は、以下の甲第１〜３号証を提出して、訂正前の請求項１〜７に係る発明は、甲第１〜３号証に記載された発明に基いて当業者が容易に発明をすることができたものであり、特許法第２９条第２項の規定により特許を受けることができないものであるから、訂正前の請求項１〜７に係る特許は、拒絶の査定をしなければならない特許出願に対してされたものであり、取り消されるべきである旨を主張している。
　甲第１号証：実願昭６３−９７９１５号（実開平２−１８９９１号）のマイクロフィルム
　甲第２号証：実願昭５８−１８６４１７号（実開昭６０−９３０８４号）のマイクロフィルム
　甲第３号証：特開昭６２−１４１３８８号公報
　
２．通知Ａの概要は、実質的に以下のとおりである。
（１）訂正前の請求項１、３、４、６、７に係る発明は、甲第１号証に記載された発明に基いて当業者が容易に発明をすることができたものであるから、特許法第２９条第２項の規定により特許を受けることができないものである。
（２）訂正前の請求項２に係る発明は、甲第１号証に記載された発明であるから、特許法第２９条第１項第３号の規定に該当し特許を受けることができないものである。
（３）訂正前の請求項５に係る発明は、甲第１号証に記載された発明であるから、特許法第２９条第１項第３号の規定に該当し特許を受けることができないものであるか、又は、甲第１号証に記載された発明に基いて当業者が容易に発明をすることができたものであるから、特許法第２９条第２項の規定により特許を受けることができないものである。
　
３．通知Ｂの概要は以下のとおりである。
　平成１５年６月３０日付けの訂正請求により訂正後の請求項１〜６は、特許を受けようとする発明の構成に欠くことができない事項のみが記載されたものではないから、該訂正後の請求項１〜６に係る特許は、特許法第３６条第５及び６項に規定する要件を満たしていないために拒絶の査定をしなければならない出願に対してされたものである。
　なお、Ｉ．手続の経緯で述べたとおり、平成１５年６月３０日付けの訂正請求が取り下げられたので、通知Ｂで指摘した取消の理由はもはや存在しないこととなった。
　
IV．特許異議の申立てについての判断
１．本件発明
　II．で述べたとおり、本件特許の明細書の訂正が認められるので、本件特許の訂正後の請求項１〜６に係る発明（以下、それぞれ「訂正発明１」〜「訂正発明６」という。）は、それぞれ訂正後の特許請求の範囲の請求項１〜６に記載された事項により特定される次のとおりのものである。
「【請求項１】　管壁(1)が樹脂素材で重層状に形成され、その層間に多数本の補強糸(2)が埋設されている管であって、該多数本の補強糸(2)中に一般の補強糸(21)とは色彩を異にする２種以上の識別補強糸(22)が複数本配糸間隔を適宜設定し混入埋設されることにより、管体の製造機や製造年月日等を確認し得る補強糸埋設樹脂管。
【請求項２】　管壁(1)が樹脂素材で重層状に形成され、その層間に多数本の補強糸(2)が埋設されている管であって、該層間の一部に多数本の補強糸(2)とは色彩を異にする２種以上の識別線状体(23)が複数本配糸間隔を適宜設定し混入埋設されることにより、管体の製造機や製造年月日等を確認し得る補強糸埋設樹脂管。
【請求項３】　前記補強糸(2)の外周面を覆う外層(4)が、補強糸(2)を外部から透視可能な透明樹脂で形成されている請求項１または２の何れかに記載の補強糸埋設樹脂管。
【請求項４】　前記管壁(1)がほぼ平坦な円筒状に形成されている請求項１乃至３の何れかに記載の補強糸埋設樹脂管。
【請求項５】　前記管壁(1)が波形状に形成されている請求項１乃至３の何れかに記載の補強糸埋設樹脂管。
【請求項６】　前記管壁(1)の内周面がほぼ平坦な円筒状で外周面が波形状に形成されている請求項１乃至３の何れかに記載の補強糸埋設樹脂管。」
　
２．甲号各証の記載
甲第１号証には以下の記載がある。
（１−ア）：「複数本の補強糸からなる補強層を有するホースにおいて、前記補強糸を主糸と該主糸にからませたからみ糸から構成すると共に、少なくとも１本の補強糸のからみ糸を着色したことを特徴とするホース。」（実用新案登録請求の範囲）
（１−イ）：「本考案は、着色した糸を用いて識別可能とした補強層を有するホースに関する。」（第１ページ第１２〜１３行）
（１−ウ）：「従来、ホースに補強を施すために補強糸で補強層を形成させるに際して、ホースの区分、製造年月日、或いは製造者を明らかにするため、染色を施した補強糸（通称マーカーヤーン）を１本もしくは複数本用いていた。」（第１ページ第１５〜１９行）
（１−エ）：「第１図は本考案のホースの一例の断面説明図、…。これらの図において、１は内管チューブゴムであり、この上に複数本の補強糸２がブレード又はスパイラルに巻かれて補強層を形成している。」（第２ページ末行〜第３ページ第６行）
（１−オ）：「本考案では、少なくとも１本の補強糸２についてそのからみ糸１１を例えば染色することにより着色してマーカーヤーン３としている。４は最外層のカバーゴムである。」（第３ページ第１９行〜第４ページ第２行）
（１−カ）：「数種類の着色したからみ糸があれば、主糸を変えるだけでどんな糸でもマーカーヤーンにすることができるため、コストが安くマーカーヤーンを作ることができる。」（第４ページ第１０〜１３行）
（１−キ）：「第１図」として、ホースの断面図が記載され、符号１〜４が付与されている。（図面の第１図）
　
甲第２号証には以下の記載がある。
（２−ア）：「１）合成樹脂管（１）の外周に長手方向に亘って複数本の補強繊維糸（２），（２）…が少くとも互に逆方向から螺旋状に巻回されて編み込まれ、さらにその外周に透明合成樹脂層（３）が一体的に設けられており、上記補強繊維糸（２），（２）…のうちに少くとも適宜色に着色されたカラー補強繊維糸（２）’が包まれ、該カラー補強繊維糸（２）’により適宜模様が形成された合成樹脂製補強ホース。」（実用新案登録請求の範囲）
（２−イ）：「カラー補強繊維糸（２）’は、全長に亘って連続的に着色されていてもよいし、適宜間隔をおいて不連続的に着色されてもよい。又、カラー補強繊維糸（２）’は、全長に亘って同色となされていてもよいし、適宜複数色に着色されていてもよい。」（第３ページ第１１〜１５行）
（２−ウ）：「カラー補強繊維（２）’の本数は適宜本数でよいし、色も一色あるいは複数色であってもよい。さらに、カラー補強繊維糸（２）’を合成樹脂管（１）の外周に長さ方向に沿って真直ぐ入れて上述の螺旋模様と組合わせてもよい。」（第４ページ第１３〜１７行）
　
甲第３号証には以下の記載がある。
（３−ア）：「軟質合成樹脂材又はゴム材によって形成された管の、少くとも管壁（１）の内面（１１）に露出しない位置に、所定間隔を隔てて硬質合成樹脂製補強体（２）が螺旋状に埋設されている管（Ａ）であって、これら相隣る硬質樹脂補強体（２）．（２）間に位置して薄膜状補強帯材（３）が管壁（１）内に埋入され、その両側縁部（３ａ）．（３ｂ）が前記硬質樹脂補強体（２）内にそれぞれ埋入配設されている構造の耐圧管。」（特許請求の範囲第１項）
（３−イ）：「第１２図及び第１３図に示した実施例は、第２図に示したと同様構造の横長の帯体（Ｂ）を用いて、波形状の管壁（１）を有する波形管（Ａ）を形成した実施例を示す。」（第５ページ左上欄第３〜６行）
　
３．当審の判断
（１）訂正発明１について
（ア）甲第１号証に記載された発明
　甲第１号証には、摘示（１−エ）、（１−オ）、（１−キ）から、「管壁がゴム材料で重層状に形成され、その層間に複数本の補強糸が巻かれてなる補強層が埋設されているホース」の発明が記載されているものと認められ、さらに、摘示（１−ア）、（１−イ）、（１−オ）から、補強糸を「主糸と該主糸にからませたからみ糸から構成する」こと、及び、「少なくとも１本の補強糸のからみ糸を着色」して「識別可能」にすることが、摘示（１−ウ）から、「ホースに補強を施すために補強糸で補強層を形成させるに際して、ホースの区分、製造年月日、或いは製造者を明らかにする」ことが従前から行われていたことが記載されている。
　
（イ）訂正発明１と甲第１号証に記載された発明との対比
　訂正発明１における「樹脂素材」は「ゴム・合成ゴム・合成樹脂等」を、「樹脂管」は「ホース及びパイプ」をそれぞれ意味する（本件明細書段落０００１参照）から、訂正発明１と甲第１号証に記載された発明を対比すると、両者は、「管壁が樹脂素材で重層状に形成され、その層間に多数本の補強糸が埋設されている管であって、該多数本の補強糸中に一般の補強糸とは色彩を異にする識別補強糸が混入埋設され、管体の製造年月日等を確認し得る補強糸埋設樹脂管。」である点で一致し、訂正発明１が、「２種以上の識別補強糸が複数本配糸間隔を適宜設定し混入埋設されることにより、管体の製造機や製造年月日等を確認し得る」点（相違点１）で相違する。
（ウ）相違点１についての検討
　甲第１号証には、摘示（１−カ）として、「数種類の着色したからみ糸があれば、主糸を変えるだけでどんな糸でもマーカーヤーンにすることができる」ことが記載され、主糸とからみ糸から構成される補強糸として、複数の種類のマーカーヤーン用の補強糸、すなわち識別補強糸を低コストで用意できることが示唆されているとは認められるものの、一の補強糸埋設樹脂管の中に、「２種以上の識別補強糸」を同時に混入埋設することについては記載も示唆もない。さらに、甲第１号証には、一の補強糸埋設樹脂管の中に、２種以上の識別補強糸が「複数本配糸間隔を適宜設定し混入埋設」されること、及び、これにより「管体の製造機や製造年月日等を確認し得る」ものとすることについての記載も示唆もない。
　甲第２号証には、「カラー補強繊維糸（２）’により適宜模様が形成された合成樹脂製補強ホース」（摘示（２−ア）参照）において、「カラー補強繊維糸（２）’の本数は適宜本数」とし「色も一色あるいは複数色」であってよいことが記載（摘示（２−ウ））されているが、摘示（２−イ）の複数色に関する記載にも照らすと、「２種以上の識別補強糸」を同時に混入埋設することについて具体的な示唆があるものではない。さらに、甲第２証には、一の補強糸埋設樹脂管の中に、２種以上の識別補強糸が「複数本配糸間隔を適宜設定し混入埋設」されること、及び、これにより「管体の製造機や製造年月日等を確認し得る」ものとすることについての記載も示唆もない。
　また、甲第３号証にもこれらの点の示唆はない。
　甲第１〜３号証のいずれにも、「２種以上の識別補強糸が複数本配糸間隔を適宜設定し混入埋設されることにより、管体の製造機や製造年月日等を確認し得る」ことについての記載も示唆もない。
　そして、訂正発明１は、相違点１を発明の構成に欠くことができない事項として備えることにより、明細書段落００３１に記載されるとおり、「色彩と配糸間隔との各種の組み合わせによって、管体の全長に亙ってどの位置で切断しても切断端面に現れるこれらの補強糸や線状体の色彩や配糸の順序や一般補強糸との配糸位置関係を見て、管体の出所や生産時期等種々の確認が可能な管を得ることができる」という極めて顕著な効果を奏するものと認められる。
（エ）まとめ
　したがって、訂正発明１は、甲第１号証に記載された発明であるということはできず、甲第１号証に記載された発明及びこれに甲第２、３号証に記載された発明を組み合わせてもなお、これら発明に基いて当業者が容易に発明をすることができたものであるということもできない。
　
（２）訂正発明２について
（ア）訂正発明２と甲第１号証に記載された発明との対比
　甲第１号証に記載される「主糸と該主糸にからませたからみ糸から構成する」補強糸において、補強の機能を果たすのは主に「主糸」であることが当業者に明らかな技術的事項であると認められる。これを踏まえると、「主糸と該主糸にからませたからみ糸から構成する」補強糸における、「からみ糸」及び「主糸」はそれぞれ訂正発明２における「識別線状体」及び「補強糸」に相当するものと認めることができる。
　そこで、訂正発明２と甲第１号証に記載された発明を対比すると、両者は、「管壁が樹脂素材で重層状に形成され、その層間に多数本の補強糸が埋設されている管であって、該層間の一部に多数本の補強糸とは色彩を異にする識別線状体が混入埋設され、管体の製造年月日等を確認し得る補強糸埋設樹脂管。」である点で一致し、訂正発明２が、「２種以上の識別線状体が複数本配糸間隔を適宜設定し混入埋設されることにより、管体の製造機や製造年月日等を確認し得る」点（相違点２）で相違する。
（イ）相違点２についての検討
　（１）訂正発明１についての「（ウ）相違点についての検討」において述べたと同様に、甲第１号証の摘示（１−カ）をみてもなお、一の補強糸埋設樹脂管の中に、「２種以上の識別線状体」を同時に混入埋設することについては記載も示唆もなく、甲第１〜３号証のいずれにも、一の補強糸埋設樹脂管の中に、「２種以上の識別線状体が複数本配糸間隔を適宜設定し混入埋設されることにより、管体の製造機や製造年月日等を確認し得る」ことについての記載も示唆もない。
　そして、訂正発明２は、明細書段落００３１に記載されるとおり、極めて顕著な効果を奏するものと認められる。
（ウ）まとめ
　したがって、訂正発明２は、甲第１号証に記載された発明であるということはできず、甲第１号証に記載された発明及びこれに甲第２、３号証に記載された発明を組み合わせてもなお、これら発明に基いて当業者が容易に発明をすることができたものであるということもできない。
　
（３）訂正発明３〜６について
　訂正発明３〜６はいずれも、訂正発明１又は訂正発明２の発明の構成に欠くことができない事項をすべて備えて、さらに、別の技術的事項を発明の構成に欠くことができない事項として備えてなるものであるから、訂正発明１、２について述べたと同様の理由により、訂正発明３〜６が、甲第１号証に記載された発明であるということはできず、甲第１号証に記載された発明及び甲第２、３号証に記載された発明を組み合わせてもなお、これら発明に基いて当業者が容易に発明をすることができたものであるということはできない。
　
４．むすび
　以上のとおりであるから、特許異議の申立ての理由及び証拠によっては、訂正後の本件発明１〜６に係る特許を取り消すことができない。
　また、他に訂正後の本件発明１〜６に係る特許を取り消すべき理由を発見しない。
　よって、結論のとおり決定する。
【異議決定日】
平成１５年１０月２日（２００３．１０．２）
【訂正の要旨】
審決（決定）の【理由】欄参照。
（５４）【発明の名称】
補強糸埋設樹脂管
（５７）【特許請求の範囲】
　【請求項１】　管壁（１）が樹脂素材で重層状に形成され、その層間に多数本の補強糸（２）が埋設されている管であって、該多数本の補強糸（２）中に一般の補強糸（２１）とは色彩を異にする
２種以上の
配糸間隔を適宜設定し
ることにより、管体の製造機や製造年月日等を確認し得る
　【請求項２】　管壁（１）が樹脂素材で重層状に形成され、その層間に多数本の補強糸（２）が埋設されている管であって、該層間の一部に多数本の補強糸（２）とは色彩を異にする
２種以上の
配糸間隔を適宜設定し
ることにより、管体の製造機や製造年月日等を確認し得る
　
【請求項３】
　
【請求項４】
　
【請求項５】
　
【請求項６】
【発明の詳細な説明】
　【０００１】
　【産業上の利用分野】
　本発明は、ゴム・合成ゴム・合成樹脂等の樹脂素材によって形成され、管壁内に多数本の補強糸が埋設されている樹脂管（ホース及びパイプ）に関するものである。より詳しくは、管壁が２層以上の重層状に形成されていて、その層間に補強糸が埋設されている樹脂管に関するものである。
　【０００２】
　【従来の技術】
　従来から管壁に多数本の補強糸を埋設した合成樹脂管は一般に知られている。また、この補強糸を管壁の長さ方向に沿って埋設してあるものも、管壁の斜め周方向にクロス状に埋設してあるものも一般に知られている。
　【０００３】
　【発明が解決しようとする課題】
　而して、従来のこの種合成樹脂管は、何れの配糸方法を採用しているものも、一つの管に埋設されている補強糸は１種類のもの、即ち補強糸の色彩が１種類のものであった。このことは、補強糸を管壁の補強の目的だけに埋設しているためであって、補強の目的のためには１種類の補強糸で充分であり、この点には特段の課題を有しているものではない。
　【０００４】
　しかしながら、このような補強糸埋設管において、どの工場のどの機械によって生産したものか、また、いつ生産したものか等の表示を行うためには、生産された管に対して印字表示を行う必要がある。
　【０００５】
　この印字手段としては、インクを使用する手段と焼き付け表示手段との２通りが考えられる。インクを使用する場合は、表示対象物が樹脂であるためインクの乗りが悪い、インクの完全乾燥までに他物に触れると汚損される、乾燥後であっても他物に触れて消え易い等の課題を有しており、焼き付け印字の場合は、明瞭な表示がし難く、管の表面を傷付け安い、表示が見難い等の課題を有している。
　【０００６】
　更に、何れの印字手段を採用する場合でも、印字表面が曲面であり、管径によってこの曲面が異なるものであるため、確実な印字がし難いこと、印字のための手数と工程が管の製造工程以外にかかること、所定の間隔毎に印字しても印字箇所と印字箇所との間の部分では確認できないこと、印字間隔を狭めるとそれだけコストアップにつながること、外周面が波形状になっている管の場合には印字箇所に制限があり位置合わせが困難でタイミングのずれが生じ易いこと等種々の課題を有している。
　【０００７】
　本発明は、管壁中に多数の補強糸を埋設した樹脂管を対象とし、以上のような種々の課題に着目し、従来の樹脂管がもつ上記の課題を全面的に解決することができる樹脂管をここに提供しようとするものである。即ち、本発明は、上記種々の課題を含む印字手段を全面的に廃止し、印字手段に代わる別工程を用いることなく、管体のどの箇所においても管の製造機や製造年月等を確認することができる補強糸埋設樹脂管の提供を目的とするものである。
　【０００８】
　【課題を解決するための手段】
　この目的を達成し、上記の課題を解決するために講じた本発明にいう樹脂管の第１の構成は、管壁１中に埋設した多数本の補強糸２中に一般の補強糸２１とは色彩を異にする
２種以上の
配糸間隔を適宜設定し混入埋設されることにより、管体の製造機や製造年月日等を確認し得る
２種以上の
配糸間隔を適宜設定し混入埋設されることにより、管体の製造機や製造年月日等を確認し得る
　【０００９】
　この発明の実施に当たっては、色彩を異にする補強糸２２や線状体２３を複数種埋設したものや、これらの補強糸２２と線状体２３との双方を埋設したものとして実施することができる。また、補強糸２そのものの色彩は一般の補強糸２１と色彩が同じものであっても、補強糸そのものに色彩の異なる糸を混入させたり撚り合わせてある補強糸を用いることもでき、一部の補強糸２に色彩の異なる糸等の線状体２３を添設して配糸したり、補強糸２とは別に配糸したりすることによって実施することができる。
　【００１０】
　例えば
２本以上の
よって、製造機
　【００１１】
　管壁１は、内外２層のものに限らず、３層以上の管体として実施してもよい。補強糸２の外周面を覆う外層４は、外部から補強糸２を透視することが可能な透明樹脂で形成してもよく、管壁１の全壁を透明樹脂で形成してある管として実施してもよい。管壁１の形状は、管壁１全体即ち管壁１の内外面がほぼ平坦な円筒状のもの、環状波形・螺旋波形等の波形状のもの、内周面がほぼ平坦な円筒状で外周面が波形状のもの等その形状はどのような形状のものであっても実施することができる。
　【００１２】
　管壁１を形成する素材は、管の使用場所・使用目的及び管径の大小・耐圧性・可撓性等を考慮して、ゴム・合成ゴム・合成樹脂等の任意の素材を設定し使用すればよい。また、管壁１を軟質素材で形成する可撓管の場合には、管壁１の外周面上・管壁１の層間または管壁１の内周面側に硬質の強化線材またはリブを形成してある管として実施することができる。
　【００１３】
　【作用】
　上記の構成とした本発明の樹脂管は、補強糸２によって管壁１が強化されている。この補強糸２の
２種以上の複数本
　【００１４】
　また、管体の製造時における配糸時に、補強糸２の
２種以上の複数本
　【００１５】
　【実施例】
　以下本発明の実施例について、添付の図面に基づいて説明する。図１乃至図３は本発明の第１実施例を示した図である。図１は管Ｐの外観を示したもの、図２は同管Ｐの切断端面を示したもの、図３は管壁１の一部を管軸方向に沿って切断した拡大図である。
　【００１６】
　該実施例に示した管体Ｐは管壁１を合成樹脂素材によって形成した管であって、図２及び図３に見られるように、管壁１の構造を、軟質ＰＶＣ素材で筒状に形成した内層３と、この内層３の外周面上において、それぞれ所定の間隔を隔てて一定の螺旋方向とこれとは逆の螺旋方向とに（何れかが下糸他方が上糸となって）互いにクロスする状態で多数本の
補強糸２
　【００１７】
　而して、該構造の管体Ｐを製造する代表的な手段の一つは、図外の管形成用軸の周面上において、平帯状に押し出し形成した軟質ＰＶＣ帯材を互いにその側縁部分が重なるようにして螺旋状に巻回させ、重なり部分どうしを互いに融着または接着剤で接着するという公知の手段によって円筒状の内層３を形成し、この内層形成中に、この内層３の外周面上に公知の配糸装置によって多数の補強糸２…を配糸し、その外周面上において内層３形成手段と同様にして透明な軟質ＰＶＣ帯材を螺旋状に巻き付けて外層４を形成する。
　【００１８】
　他の代表的な製造手段は、第１の樹脂押出装置から管形成用軸上に筒状に樹脂素材を押し出して内層３を形成し、その外周面上に多数の補強糸２…を配糸し、更にその外周面上に第２の樹脂押出装置から同じく筒状に透明な樹脂素材を押し出して外層４を形成するという手段がある。
　【００１９】
　この管形成時において、図１に破線で示したように、多数本の補強糸２の内の
２種以上の複数本
　【００２０】
　このようにして、配糸時に、補強糸２の内の幾本かを、一般の補強糸２１とは色彩の異なるものとし、選択した糸の色彩と配糸間隔とを適宜に設定し種々組み合わせることによって、管体の出所・生産時期等所要の確認を行うことができるようにするのである。
　【００２１】
　該実施例の管Ｐは、前記のように外層４を透明な樹脂素材によって形成してある管であるから、補強糸２の色彩・配糸間隔及びその組み合わせ状態を管端のみに頼ることなく、管体のどの位置からでも確認することができる利点がある。
　【００２２】
　図４及び図５に示した管Ｐは、第２実施例を示す管である。該実施例の管体Ｐは、前記第１実施例に示した内外層３，４間に補強糸２を埋設してある円筒状の管体の外周面に硬質樹脂補強線５を螺旋状に巻き付けて一体化してある硬質補強線付きの管体である。
　【００２３】
　而して、該管Ｐにおける配糸は、補強糸２そのものの色彩を変えたものではなく、補強糸２に別の色彩の糸を添えて同時に埋設して識別可能な状態にしたものである。該実施例図の補強糸２は、１点鎖線で示した色付き糸添設補強糸２３ａを２本，点線で示した色付き糸添設補強糸２３ｂを２本，２点鎖線で示した色付き糸添設補強糸２３ｃを２本使用したものとしてある。また、１点鎖線で示した色付き糸添設補強糸２３ａと、点線で示した色付き糸添設補強糸２３ｂとは互いに平行な方向に配糸し、２点鎖線で示した色付き糸添設補強糸２３ｃはこれらの補強糸２３ａ，２３ｂと交差する逆螺旋方向に配糸してある。
　【００２４】
　使用する補強糸２の本数は、管径，管素材，管の肉厚，求められる耐圧性能等によって適宜に変更される性質のものであるが、例えば管の内径が２５ｍｍの管では一方向１５本、同３２ｍｍの管では１８本、３８ｍｍの管では２０本等多数の補強糸が使用される。
　【００２５】
　これら多数の補強糸２の内、１種類だけの識別糸２２，２３を使用する場合、例えば下糸で製造年、上糸で製造月を表示するものとし、製造年は西暦年の下１桁を表示し製造月は１〜１２までを表示すれば足りる。１種類の識別糸をそれぞれ２〜３本使用する場合、２本の識別糸が隣接していれば「１」を表し、２本の糸の間に一般の補強糸がＮ本あれば「Ｎ＋１の数」で「６」までを表し、「７〜１２」までの数は同様の方法に加え、何れか１本の識別糸に３本目の識別糸を隣接させて表現することができる。この方法によれば識別糸は１種類で済むが、識別糸の色彩を増せば製造週・製造旬・製造日まで識別可能なものとすることができる。
　【００２６】
　以上の第１，第２実施例の管Ｐは、補強糸２を管壁１の正逆螺旋方向にクロス状に配糸してある実施例について示したが、補強糸の配糸方向はクロス方向に配糸したもののみに限らず、管体の軸線方向に沿って配糸されているものであってもよい。図６及び図７に示した第３実施例は、このような配糸管について示したものである。該実施例の管Ｐは、図７にみられるように、管体の内面側に樹脂被覆電線６を螺旋状に巻回配設してあるクリーナー用ホースに適した構造の管であって、管壁１の内層３と外層４との間に管の軸線方向に沿わせて、管周方向に所定の間隔を隔てて多数の補強糸２を配設してある管である。
　【００２７】
　而して、該実施例の補強糸２は、一般の補強糸２１の外に、１点鎖線で示した色付き補強糸２２ａを１本，点線で示した色付き補強糸２２ｂを２本，合計２種３本の色付き補強糸を使用したものとしてある。また、１点鎖線で示した色付き補強糸２２ａと点線で示した色付き補強糸２２ｂとは、間に一般の補強糸２１を１本挟んで配糸し、点線で示した２本の色付き補強糸２２ｂは隣接配糸してある構造として示してある。
　【００２８】
　この実施例では、例えば１点鎖線で示した識別補強糸２２ａの色彩によって製造年を表示し、点線で示した２本の識別補強糸２２ｂによって製造月を確認することができる。この場合２本の識別補強糸２２ｂどうしの間隔によって前記のように「１〜６」の数を示し、これらの補強糸２２ｂと１点鎖線で示した識別補強糸２２ａとの間隔を変えることによって「７〜１２」の数を示すようにすれば、製造年と製造月を３本の識別糸によって確認することができる。
　【００２９】
　以上の各実施例では、配糸状態を示すために、配糸状況が管の外部から確認できる管として示したが、管壁１を形成する樹脂素材は透明素材である必要はなく不透明素材であってもよいことは前記の通りである。管壁１が不透明素材で形成されている場合は、管の切断端面によって容易に確認することができる。
　【００３０】
　以上本発明の代表的な実施例について説明したが、本発明は必ずしもこれらの実施例構造のみに限定されるものではなく、本発明の構成要件を備え、かつ、本発明にいう目的を達成し、以下にいう効果を有する範囲内において適宜改変して実施することができるものである。
　【００３１】
　【発明の効果】
　本発明は以上の説明から既に明らかなように、管壁中に多数本の補強糸を埋設してある管を対象とし、この補強糸の埋設手段を利用して、これら多数本の補強糸の中に色彩を異にする
２種以上の
配糸間隔を適宜設定し混入埋設されることにより、管体の製造機や製造年月日等を確認し得る
２種以上の
配糸間隔を適宜設定し混入埋設されることにより、管体の製造機や製造年月日等を確認し得る
　【００３２】
　しかも、このような管であるにもかかわらず、その製造に当たっては、管体の製造時における配糸時に、補強糸の
複数本
２種以上の
て配糸間隔を適宜設定し混入埋設させ
２種以上の
複数本配糸間隔を適宜設定し混入埋設
【図面の簡単な説明】
　【図１】
　第１実施例を示す管体の正面図。
　【図２】
　同管の切断端面図。
　【図３】
　同管の管壁部分の拡大断面図。
　【図４】
　第２実施例を示す管体の正面図。
　【図５】
　同管の切断端面図。
　【図６】
　第３実施例を示す管体の正面図。
　【図７】
　同管の管壁部分の拡大断面図。
　【符号の説明】
　１　管壁
　２　補強糸
　４　外壁
　２１　一般の補強糸
　２２　色彩の異なる補強糸
　２３　色彩の異なる線状体